(57)【要約】【課題】金属製のボーダー部材の水平板部の切断作業を伴わずにボーダー部に設置することができるボーダー部構造を提供する。【解決手段】下地床面１０と略平行に設けられる第１水平板部５４と、この第１水平板部の一端から折れ曲がって連続して形成され、先端部が下地床面に接地される第１垂直板部５６とを有する第１ボーダー部材４０と、ボーダー部内の下地床面上に配置されるボーダー部内支持脚８Ａと、下地床面と略平行に設けられる第２水平板部５０を有して、この第２水平板部の一端がボーダー部内支持脚上に載置され、他端５０ａが第１水平板部上に載置される第２ボーダー部材３６と、ボーダー部内支持脚上に載置される端部部材３４とを備えるようにした。【効果】金属製のボーダー部材の水平板部の切断作業を伴わずにボーダー部にボーダー部構造を設置することができる。【選択図】図２
2008150824.tif 000002
【特許請求の範囲】
【請求項１】
下地床面と略平行に設けられる第１水平板部と、この第１水平板部の一端から折れ曲がって連続して形成され、先端部が下地床面に接地される第１垂直板部とを有する第１ボーダー部材と、
ボーダー部内の下地床面上に配置されるボーダー部内支持脚と、
下地床面と略平行に設けられる第２水平板部を有して、この第２水平板部の一端が前記ボーダー部内支持脚上に載置され、他端が前記第１水平板部上に載置される第２ボーダー部材と、
前記ボーダー部内支持脚上に載置される端部部材と
を備えることを特徴とするボーダー部構造。
【請求項２】
前記第１水平板部に、前記第１垂直板部側が低く他端側が高くなる段差が設けられ、第１水平板部の第１垂直板部側に、前記第２ボーダー部材の第２水平板部における他端とシート部材が載置される
ことを特徴とする請求項１に記載のボーダー部構造。
【請求項３】
下地床面と略平行に設けられる第３水平板部と、この第３水平板部の一端から折れ曲がって連続して形成され、先端部が床面に接地される第３垂直板部を有する第３ボーダー部材を設け、
前記第１ボーダー部材における第１水平板部の他端側を前記第３ボーダー部材における第３水平板部の一端側に連結して支持するように構成することができる
ことを特徴とする請求項２に記載のボーダー部構造。
【請求項４】
標準パネルと部屋の一部との間のボーダー部の長さに応じて、前記第３ボーダー部材が選択的に追加して設けられることを特徴とする請求項３に記載のボーダー部構造。
【請求項５】
その上端面に開口するよう形成される凹部を有し、ボーダー部と標準パネルが配置される領域との境界線上に配置される境界線上支持脚を備え、
前記第３ボーダー部材は、前記第３水平板部における前記第３垂直板部側の一端側に被係合部が設けられると共に、第３垂直板部とは反対側の他端側に前記凹部に係合する折り曲げ部が設けられ、
前記第１ボーダー部材は、前記第１水平板部における前記他端側に、前記凹部及び前記被係合部のいずれにも選択的に係合可能な係合部が設けられている
ことを特徴とする請求項３又は４に記載のボーダー部構造。
【発明の詳細な説明】
【技術分野】
【０００１】
本発明は、クリーンルームやオフィスルーム等の部屋の内側に敷設されるフリーアクセスフロアに関し、特にそのボーダー部構造に関するものである。
【背景技術】
【０００２】
図１５及び図１６は、従来のボーダー部材６、及びこの従来のボーダー部材６を設置した場合のボーダー部構造１を示す平面図及び側面断面図である。ボーダー部材６は、図１６に示すように、フリーアクセスフロア２が敷設される部屋の下地床面１０上であって、フリーアクセスフロア２の標準パネル３と、部屋の壁４との間に設置されているが、ボーダー部材６は、このような場所だけでなく、標準パネル３に連続する床面を形成するために、図示しない様々な場所に設置される。
【０００３】
すなわち、ボーダー部材６は、定形部材である標準パネル３を配置することができない、壁４の壁際や、部屋内の壁４から離れた場所の、図示しない柱の周囲等に形成される中途半端な空間に、標準パネル３に連続する床面を形成するために設置される。
【０００４】
以下の説明においては、壁４の壁際や、図示しない柱の周囲等において、ボーダー部材６のような標準パネル３以外の部材を配置することにより、標準パネル３に連続する床面が形成される空間をボーダー部と呼ぶこととする（図１６参照）。また、標準パネル３と隣合ってボーダー部材６がボーダー部に配置された状態をボーダー部構造１と呼ぶこととする。
【０００５】
ボーダー部材６は金属製で、下地床面１０と略垂直の方向に厚さ（図１６中、寸法ｔ）を有し、下地床面１０と略平行方向の長さと幅を有する水平板部２６と、この水平板部２６の壁４側の一端から下地床面１０側に垂直に折れ曲がって連続して形成された垂直板部２８とを備えて構成されている。
【０００６】
ボーダー部材６は、その水平板部２６がボーダー部の下地床面１０上方を覆い、この水平板部２６における垂直板部２８と反対側の端部２６ａが、最も壁４寄りの標準パネル３の上面に載置されると共に、垂直板部２８が、下地床面１０上に略垂直に突き立てられて配置される。
【０００７】
このようなボーダー部材６により、ボーダー部には、標準パネル３と下地床面１０との間の高さ方向に大きな段差（標準支持脚８の高さに標準パネル３の厚さを加えた寸法の段差）が生じないようにし、かつ部屋のフリーアクセスフロア２の床面が標準パネル３から壁４迄延長して形成されるようになっていた。
【０００８】
一方、フリーアクセスフロア２は、その標準パネル３が標準支持脚８により支持される構造になっている。標準支持脚８は、金属製のパイプ材１２と、このパイプ材１２の上端と下端のそれぞれを閉止する合成樹脂製の上側キャップ１４及び下側キャップ１６を備えて構成されている。上側キャップ１４には、下地床面１０と略平行である上端面１８が形成されている。
【０００９】
図１７は、図１５，１６における標準支持脚８だけを取り出して示す、標準支持脚８の平面図である。同図に示すように、標準支持脚８は、その上側キャップ１４の上端面１８上に開口するよう形成されて、後述する標準パネル３の折曲った側板部２４と係合可能な４本の溝部２０を有している。
【００１０】
この標準支持脚８の４本の溝部２０は、これら４本の中の２本が、上端面１８上の一方向に伸びるよう互いに平行に一定間隔で並んで配置され、この２本と直角に交差するように、他の２本が互いに平行に一定間隔で並んで配置されている。これら４本の溝部２０のそれぞれは、互いに平行に並んで配置される２本の組合せ同士が、互いの長さ方向のほぼ中央において交差している。各溝部２０の長さ方向において、この長さ方向と直角方向に伸びる他の溝部２０との交差位置から、この長さ方向と平行な、上側キャップ１４の円周面接線までの長さ寸法を、図１７においてはＬで表すこととする。
【００１１】
また、図１８は、図１５，１６における標準パネル３だけを取り出して示す、標準パネル３の平面図である。標準パネル３は、定形部材であって、同図に示すように、平面形状が略正方形の天板部２２と、天板部２２の四辺のそれぞれに、下地床面１０側（図１８中、紙面に垂直方向の奥側）に一定高さを有するよう折曲げて設けられる側板部２４とを有している。
【００１２】
図１５に示すように、標準パネル３は、水平面において縦方向及び横方向に整列して配置される。そして、標準支持脚８は、ボーダー部と隣合って配置される標準パネル３の、ボーダー部側の隅部を支持するのに用いられるものを除いて、４枚の標準パネル３の各隅部が一ヶ所に集まる位置に配置され、この４枚の標準パネル３の各隅部を下側から支持するようになっている。
【００１３】
このようなフリーアクセスフロア２の、各標準支持脚８が４枚の標準パネル３の各隅部を支持するときの支持構造は、各標準パネル３における天板部２２の各隅部が、図１７に示す標準支持脚８の上端面１８上に載置されると共に、各標準パネル３の天板部２２における四辺のそれぞれと平行方向に伸びる、図１８に示す各側板部２４の両端部のそれぞれが、対応する標準支持脚８の図１７に示す溝部２０の寸法Ｌの長さ範囲で係合する構造になっている。
【発明の開示】
【発明が解決しようとする課題】
【００１４】
しかしながら、上述したような従来のボーダー部構造１においては、金属製のボーダー部材６の水平板部２６の図１６中左右方向の長さの調整を、その水平板部２６における垂直板部２８と反対側の端部を切り落とすことにより行なうため、このような金属製の水平板部２６の切断作業が、ボーダー部構造１の設置作業の効率を低下させてしまうという問題があった。
【００１５】
また、従来のボーダー部構造１においては、ボーダー部材６の水平板部２６の端部２６ａが、パネル部材３の上面に載置されているので、フリーアクセスフロア２の床面上に水平板部２６の厚さ分（図１６中寸法ｔ）の段差が形成されてしまうため、このような段差の上に整理棚や書庫等が載置された場合には、この整理棚や書庫等が傾むいてしまうおそれがあり、好ましくないという問題があった。
【００１６】
そこで本発明は、上記問題点に鑑みて、金属製のボーダー部材の水平板部の切断作業を伴わずにボーダー部に設置することができるボーダー部構造を提供することを課題とするものである。
【００１７】
また本発明は、上記問題点に鑑みて、フリーアクセスフロアの床面上に段差が形成されるのを防止することができるボーダー部構造を提供することを課題とするものである。
【課題を解決するための手段】
【００１８】
上記課題を解決するために、本発明によるボーダー部構造は、
下地床面と略平行に設けられる第１水平板部と、この第１水平板部の一端から折れ曲がって連続して形成され、先端部が下地床面に接地される第１垂直板部とを有する第１ボーダー部材と、
ボーダー部内の下地床面上に配置されるボーダー部内支持脚と、
下地床面と略平行に設けられる第２水平板部を有して、この第２水平板部の一端が前記ボーダー部内支持脚上に載置され、他端が前記第１水平板部上に載置される第２ボーダー部材と、
前記ボーダー部内支持脚上に載置される端部部材とを備えることを特徴とするものである。
【００１９】
また、本発明によるボーダー部構造において、
前記第１水平板部に、前記第１垂直板部側が低く他端側が高くなる段差が設けられ、第１水平板部の第１垂直板部側に、前記第２ボーダー部材の第２水平板部における他端とシート部材が載置されることを特徴とするものである。
【００２０】
また、本発明によるボーダー部構造において、
下地床面と略平行に設けられる第３水平板部と、この第３水平板部の一端から折れ曲がって連続して形成され、先端部が床面に接地される第３垂直板部を有する第３ボーダー部材を設け、
前記第１ボーダー部材における第１水平板部の他端側を前記第３ボーダー部材における第３水平板部の一端側に連結して支持するように構成することができることを特徴とするものである。
【００２１】
また、本発明によるボーダー部構造において、標準パネルと部屋の一部との間のボーダー部の長さに応じて、前記第３ボーダー部材が選択的に追加して設けられることを特徴とするものである。
【００２２】
また、本発明によるボーダー部構造において、
その上端面に開口するよう形成される凹部を有し、ボーダー部と標準パネルが配置される領域との境界線上に配置される境界線上支持脚を備え、
前記第３ボーダー部材は、前記第３水平板部における前記第３垂直板部側の一端側に被係合部が設けられると共に、第３垂直板部とは反対側の他端側に前記凹部に係合する折り曲げ部が設けられ、
前記第１ボーダー部材は、前記第１水平板部における前記他端側に、前記凹部及び前記被係合部のいずれにも選択的に係合可能な係合部が設けられていることを特徴とするものである。
【発明の効果】
【００２３】
このような本発明に係るボーダー部構造によれば、
下地床面と略平行に設けられる第１水平板部と、この第１水平板部の一端から折れ曲がって連続して形成され、先端部が下地床面に接地される第１垂直板部とを有する第１ボーダー部材と、
ボーダー部内の下地床面上に配置されるボーダー部内支持脚と、
下地床面と略平行に設けられる第２水平板部を有して、この第２水平板部の一端が前記ボーダー部内支持脚上に載置され、他端が前記第１水平板部上に載置される第２ボーダー部材と、
前記ボーダー部内支持脚上に載置される端部部材とを備えることにより、
金属製のボーダー部材の水平板部の切断作業を伴わずボーダー部にボーダー部構造を設置することができる。
【００２４】
また、本発明のボーダー部構造において、
前記第１水平板部に、前記第１垂直板部側が低く他端側が高くなる段差が設けられ、第１水平板部の第１垂直板部側に、前記第２ボーダー部材の第２水平板部における他端とシート部材が載置されることにより、
前記第１水平板部の他端側と前記第２水平板部との間に段差ができるのを防止して、フリーアクセスフロアの床面上に段差が形成されるのを防止することができる。
【００２５】
また、本発明のボーダー部構造において、
下地床面と略平行に設けられる第３水平板部と、この第３水平板部の一端から折れ曲がって連続して形成され、先端部が床面に接地される第３垂直板部を有する第３ボーダー部材を設け、
前記第１ボーダー部材における第１水平板部の他端側を前記第３ボーダー部材における第３水平板部の一端側に連結して支持するように構成することができるようにしたことにより、
寸法が長いボーダー部に対しても、ボーダー部構造を設置することができる。
【００２６】
また、本発明のボーダー部構造において、標準パネルと部屋の一部との間のボーダー部の長さに応じて、前記第３ボーダー部材が選択的に追加して設けられることにより、前記第１水平板部上における前記第２水平板部のスライド長さの他、第１〜第３ボーダー部材のそれぞれの長さも予め短く作成しておくことができるので、ボーダー部の各種長さに各種形態で対応させることができる。
【００２７】
また、本発明のボーダー部構造において、
その上端面に開口するよう形成される凹部を有し、ボーダー部と標準パネルが配置される領域との境界線上に配置される境界線上支持脚を備え、
前記第３ボーダー部材は、前記第３水平板部における前記第３垂直板部側の一端側に被係合部が設けられると共に、第３垂直板部とは反対側の他端側に前記凹部に係合する折り曲げ部が設けられ、
前記第１ボーダー部材は、前記第１水平板部における前記他端側に、前記凹部及び前記被係合部のいずれにも選択的に係合可能な係合部が設けられていることにより、
ボーダー部構造に第３ボーダー部材が設けられるときは、第１ボーダー部材と第３ボーダー部材を確実に連結できることにより、ボーダー部に床面が確実に形成されるようにすることができる。
【発明を実施するための最良の形態】
【００２８】
以下、本発明に係るボーダー部構造を実施するための最良の形態について、図面に基づいて具体的に説明する。
図１から図５は、本発明の第１の実施の形態に係るボーダー部構造３２について説明するために参照する図である。従来と同様の部分には同じ符号を用いて説明し、従来と同様の構成についての重複する説明は省略するものとする。
【００２９】
本実施の形態に係るボーダー部構造３２は、従来のボーダー部構造１（図１５，１６参照）に係るボーダー部材６の代わりに、図１及び図２に示すように、第１ボーダー部材４０、ボーダー部内支持脚８Ａ、第２ボーダー部材３６、端部部材３４、及びシート部材４１を備えており、これらがボーダー部に設置される構造になっている。
【００３０】
本実施の形態に係るボーダー部構造３２が設置されるボーダー部は、このボーダー部構造３２が設置される前において、図３（ａ）に示すように、壁４の壁際に標準支持脚８が配置できなかったり、図３（ｂ）に示すように、壁４の壁際に標準支持脚８と標準パネル３の両方が配置できなかったりするために形成される中途半端な空間（図３（ａ）及び（ｂ）中、寸法Ｍ）と、このような中途半端な空間側から１枚目の標準パネル３を取り外した跡の空間（図３（ａ）及び（ｂ）中、寸法Ｓ）とが足し合わされる長さに形成されるものである。
【００３１】
また、図４に示すように、壁４の壁際に形成される中途半端な空間の長さＭが短いために、このような長さＭから最も壁４寄りの標準支持脚８内における溝２０同士で挟まれる長さｐを差し引いた長さＮが、後述する図５（ａ）中の長さｂとｆとを足し合せた長さ（ｂ＋ｆ）よりも短い場合には、図４に示すように、ボーダー部は、長さＭの中途半端な空間と、この中途半端な空間側から２枚目までの標準パネル３を取り外した跡の空間（図４中、寸法２Ｓ）とが足し合わされる長さに形成されるものである。
【００３２】
また、図１及び図２に示すように、ボーダー部構造３２のボーダー部内支持脚８Ａは、ボーダー部内の下地床面１０上に、ボーダー部の図１中上下方向に一定間隔に並んで配置されるものである。
【００３３】
このボーダー部内支持脚８Ａは、標準支持脚８と同様の構造を有しているが、標準パネル３を支持するものではないため、このような観点から、標準パネル３を支持する標準支持脚８とは区別することとする。また、図２に示すような、ボーダー部と標準パネル３が配置される領域との境界線Ｋ上に配置される支持脚を、他の支持脚８，８Ａとは区別して、特に境界線上支持脚８Ｂと呼ぶこととする。
【００３４】
また、端部部材３４は、図２に示すように、下地床面１０と略平行の床板部４４、及びこの床板部４４の一方の端部から下地床面１０側に略垂直に折れ曲がって連続して形成された下垂板部４６、並びに床板部４４における下垂板部４６とは反対側の端部から下地床面１０側に略垂直に折れ曲がって形成される端部部材掛止部４８を有している。
【００３５】
端部部材３４は、図１に示すように、標準パネル３の一辺の長さのほぼ２倍の長さを有しており、この長さ方向の両端及び長さ中間位置のそれぞれにおいて、図２に示すように、床板部４４が各ボーダー部内支持脚８Ａの上端面１８上に載置されると共に、端部部材掛止部４８が、各ボーダー部内支持脚８Ａにおける図２中左側の溝部２０に掛止されることにより、各ボーダー部内支持脚８Ａに支持されている。
【００３６】
次に、ボーダー部構造３２の第１ボーダー部材４０は、図２に示すように、下地床面１０と略平行に設けられる第１水平板部５４、及びこの第１水平板部５４の一方の端部から下方に略垂直に折れ曲がって連続して形成され、先端部が下地床面１０に接地される第１垂直板部５６、並びに第１水平板部５４における第１垂直板部５６とは反対側の端部から下地床面１０側に略垂直に折れ曲がって形成される第１ボーダー掛止部５８を有している。
【００３７】
第１ボーダー部材４０は、図１及び図２に示すように、第１水平板部５４における第１ボーダー掛止部５８側の両隅部のそれぞれが、対応する境界線上支持脚８Ｂの上端面１８上に載置されると共に、図２に示すように、第１ボーダー掛止部５８が、境界線上支持脚８Ｂにおける図２中左側の溝部２０に掛止されている。
【００３８】
また、第１ボーダー部材４０の第１水平板部５４には、図２中左右方向の長さ途中位置に、段差６０が形成されている。この段差６０は、後述する第２ボーダー部材３６における第２水平板部５０の厚さとほぼ同じ高さ分だけ、第１垂直板部５６側が第１ボーダー掛止部５８側よりも低くなるように形成されている。
【００３９】
第２ボーダー部材３６は、図２に示すように、下地床面１０に略平行に設けられる第２水平板部５０、及びこの第２水平板部５０の一方の端部から下地床面１０側に略垂直に折れ曲がって形成される第２ボーダー掛止部５２を有している。
【００４０】
第２ボーダー部材３６は、図１及び図２に示すように、第２水平板部５０における第２ボーダー掛止部５２側の両隅部のそれぞれが、対応するボーダー部内支持脚８Ａの上端面１８上に載置されると共に、図２に示すように、第２ボーダー掛止部５２が、ボーダー部内支持脚８Ａにおける図２中右側の溝部２０に掛止されていることにより、ボーダー部内支持脚８Ａに支持されている。
【００４１】
また、第２ボーダー部材３６は、その第２水平板部５０における第２ボーダー掛止部５２とは反対側の端部５０ａが、第１ボーダー部材４０における第１水平板部５４上に載置されて、段差６０よりも第１垂直板部５６側の長さ範囲内をスライドできるようになっている。
【００４２】
つまり、ボーダー部構造３２は、図５（ａ）に示すように、第２ボーダー部材３６における第２水平板部５０の端部５０ａが、第１ボーダー部材４０における第１水平板部５４の段差６０に突き当たった状態から、図５（ｂ）に示すように、第２ボーダー部材３６が、端部部材３４、及びボーダー部内支持脚８Ａと一体的になって、段差６０から離れていく方向（図５中左方向）にスライドすることができるようになっている。
【００４３】
第２ボーダー部材３６は、図５（ｃ）に示すように、その第２水平板部５０の端部５０ａと、第１ボーダー部材４０における第１水平板部５４の段差６０との間の距離ｄが、「０」から、標準パネル３の配置間隔Ｓ（図３参照）と同じ長さまでの範囲内でスライド可能になっている。これによりボーダー部構造３２は、図５（ａ）〜（ｃ）に示すように、その全体の長さＷ１が、最小長さＣ１から最大長さ（Ｃ１＋Ｓ）までの範囲内で調整可能になっている。
【００４４】
ボーダー部構造３２の全体長さＷ１の調整範囲の長さは、標準パネル３の配置間隔Ｓの長さと同じ長さに設定されているので、図５（ａ）に示すように、ボーダー部構造３２の最小長さＣ１は、第２ボーダー部材３６のスライド長さＳを含んで構成されていると共に、このようなスライド長さＳの他にも、端部部材３４及びボーダー部内支持脚８Ａを配置するなどのために必要な長さｂ、及び段差６０よりも図中右側部分の長さｆを含んで構成されている。したがって、ボーダー部構造３２の最小長さＣ１は、（Ｃ１＝ｂ＋Ｓ＋ｆ）と表すことができる。
【００４５】
一方、このようなボーダー部構造３２の最小長さＣ１と、図３（ａ）及び（ｂ）に示す長さＭとの間には、このような長さＭが標準支持脚８や標準パネル３を配置できない中途半端な空間であることから、必ずＭ＜（Ｓ＋ｂ）＜Ｃ１の関係が成立する。
【００４６】
このため、このような長さＭで示される中途半端な空間内には、ボーダー部構造３２は設置することができないが、標準パネル３を１枚取り外してボーダー部を形成することにより、このようなボーダー部に対してボーダー部構造３２を載置することができるようになる。そして、ボーダー部構造３２の長さ調整を行なうことにより、ボーダー部の長さ全体に新たな床面を形成することができるようになる（図２参照）。
【００４７】
また、図４に示すように、長さＭが短かすぎるために、このような長さＭから最も壁４寄りの標準支持脚８内における溝２０同士で挟まれる長さｐを差し引いた長さＮが、図５（ａ）に示すｂとｆとを足し合せた長さ（ｂ＋ｆ）よりも短い場合には、このような図４に示す長さＮに対して標準パネル３の１枚分の配置間隔の長さＳを足し合わせた長さ（Ｎ＋Ｓ）は、ボーダー部構造３２の最小長さＣ１＝（ｂ＋Ｓ＋ｆ）よりも短いために、標準パネル３を１枚取り外しただけではボーダー部構造３２を設置することはできない。
【００４８】
しかしながら、このような場合には、標準パネル３を２枚取り外してボーダー部を形成することにより、ボーダー部構造３２を載置できるようになる。図示しないが、図４に示すような標準パネル３を２枚取り外して形成したボーダー部に対してボーダー部構造３２を載置した場合には、このように載置したボーダー部構造３２について、図５（ａ）〜（ｃ）に示すような長さ調整を行なうことにより、やはり、ボーダー部の長さ全体にわたって新たな床面を形成することができる。
【００４９】
また、ボーダー部構造３２に対して長さ調整を行なうことにより、図５（ｃ）に示すように、その長さＷ１を最大長さ（Ｃ１＋Ｓ）にした状態であっても、ボーダー部の長さの方が長すぎてしまい、このようなボーダー部の長さ全体にわたって新たな床面を形成することができない場合が仮にあったとしても、このような場合には、ボーダー部構造３２の長さＷ１を、標準パネル３の配置間隔Ｓと同じ長さ分だけ一旦短くして、図５（ａ）に示す状態に戻すと共に、このようにボーダー部構造３２を長さＳだけ短くした代わりに標準パネル３を１枚配置することにより、ボーダー部を新たに短く形成することができる。
【００５０】
したがって、標準パネル３を１枚設置することによりボーダー部を短くすれば、このような短くした新たなボーダー部に対して、改めてボーダー部構造３２の長さ調整を行なうことができるので、結局、このような短くした新たなボーダー部の長さ全体にわたって新たな床面を形成することができるようになる。
【００５１】
このようにボーダー部構造３２の全体の長さの調整範囲の長さが、標準パネル３の配置間隔Ｓの長さと同じ長さになっていることと、ボーダー部の長さが、ボーダー部構造３２が設置される前において、標準パネル３を取り外したり設置したりすることにより、標準パネル３の配置間隔Ｓごとに長さ調整できることに鑑みれば、ボーダー部構造３２は、あらゆる長さのボーダー部に対応可能になっているということができる。
【００５２】
また、ボーダー部構造３２は、図１及び図２に示すように、その図中左右方向の全体長さが、ボーダー部の同方向の長さに対応するように調整して設置された後、第１ボーダー部材４０の第１水平板部５４における段差６０と第２ボーダー部材３６の第２水平板部５０との間に、合成樹脂製のシート部材４１が載置される。
【００５３】
このシート部材４１は、予め第２ボーダー部材３６の第２水平板部５０の厚さとほぼ同じ厚さで作成された大き目のシート部材４１の素材から、カッターナイフ等のような簡易の切断器具により切断して形成することができるものである。シート部材４１は、第１水平板部５４上に両面テープ等で貼り付けられていてもよい。
【００５４】
このような本実施の形態に係るボーダー部構造３２によれば、その第１ボーダー部材４０の第１水平板部５４に対する第２ボーダー部材３６のスライド調整により、ボーダー部構造３２の全体長さを調整することができるため、このボーダー部構造３２のボーダー部への設置作業を、従来のように金属製のボーダー部材の水平板部の切断作業を伴わずに行なうことができるので、ボーダー部構造３２の設置作業の効率が低下するのを防止することができる。
【００５５】
また、本実施の形態に係るボーダー部構造３２によれば、シート部材４１が、第１ボーダー部材４０の第１水平板部５４における段差６０と、第２ボーダー部材３６の第２水平板部５０との間に載置されるようになっていることにより、第１ボーダー部材４０と第２ボーダー部材３６で形成される床面上に凹部を形成する２つの段差ができないようにすることができる。
【００５６】
また、本実施の形態に係るボーダー部構造３２によれば、第１ボーダー部材４０の第１水平板部５４が、標準パネル３上には載置されないので、フリーアクセスフロア２の床面上に段差が形成されるのを防止して、その段差の上に載置した整理棚や書庫等が傾むいてしまうのを防止することができる。
【００５７】
また、本実施の形態に係るボーダー部構造３２によれば、その長さの調整範囲が、図５に示すように、標準パネル３の配置間隔Ｓと同じ長さになっているので、図２に示すように、ボーダー部の壁４からの長さにかかわらず、このボーダー部内に標準パネル３に連続する床面を壁４と隙間なく形成することができる。
【００５８】
次に、図６から図１４は、本発明の第２の実施の形態に係るボーダー部構造６２について説明するために参照する図である。
前記第１の実施の形態に係るボーダー部構造３２と同様の部分や構成についての重複する説明は省略するものとする。
【００５９】
本実施の形態に係るボーダー部構造６２は、図６及び図７に示すように、第１ボーダー部材７０、ボーダー部内支持脚８Ａ、境界線上支持脚８Ｂ、第２ボーダー部材６６、端部部材３４、及びシート部材４１を備えて構成されている。
【００６０】
また、本実施の形態に係るボーダー部構造６２は、設置対象となるボーダー部の壁４からの長さが部屋ごとに異なる長さで形成されることに応じて、前記第１の実施の形態に係るボーダー部構造３２と同様に、第２ボーダー部材６６が第１ボーダー部材７０に対してスライド可能になっていることの他に、図８及び図９に示すように、ボーダー部に隣合って配置される標準パネル３と第１ボーダー部材７０との間に、第３ボーダー部材６４が、選択的に配置される構成になっている。
【００６１】
第３ボーダー部材６４は、下地床面１０に略平行であって、その図９中左右方向の長さが標準パネル３の配置間隔Ｓ（図３参照）のおよそ半分の長さに設定された、第３水平板部７２を有している。
【００６２】
また、第３ボーダー部材６４は、第３水平板部７２におけるその図１１中の左端部であって、図１０中の上下方向の両端部のそれぞれから、図１１中下方に略垂直に折れ曲がって連続して形成される第３垂直板部７４を有している。この第３垂直板部７４は、図９に示すように、その先端部が下地床面１０に接地するようになっている。
【００６３】
また、第３ボーダー部材６４は、図１１に示すように、第３水平板部７２における第３垂直板部７４とは反対側の端部から、図１１中下方に（下地床面１０側に）略垂直に折れ曲がって形成される折り曲げ部７６を有している。
【００６４】
また、第３ボーダー部材６４は、第３水平板部７２における第３垂直板部７４のそれぞれの付け根に、被係合部７８を有している。被係合部７８のそれぞれは、図１０中の上下方向に一定長さを有し、第３水平板部７２の厚さと同じ深さで切欠いてできた切り欠き７８ａ（図１１参照）と、これに隣接する矩形状の孔７８ｂ（図１０参照）とが一体的に繋がって構成されている。
【００６５】
このような第３ボーダー部材６４が、ボーダー部の壁４からの長さに応じて、選択によりボーダー部構造６２の一部としてボーダー部に設置される場合には、図８中左右方向において、第３水平板部７２における第１ボーダー部材７０と反対側であって、図中上下方向の両端部（両隅部）が、対応する境界線上支持脚８Ｂの上端面１８上に載置され、図９に示すように、折り曲げ部７６が境界線上支持脚８Ｂの溝部２０に係合される。
【００６６】
次に、第１ボーダー部材７０は、図１２及び図１３に示すように、第１水平板部８０、及び第１垂直板部５６を有している。本実施の形態に係る第１水平板部８０は、前記第１の実施の形態に係る第１水平板部５４よりも、その図１２及び図１３中左右方向の長さが短く形成されている。
【００６７】
また、第１ボーダー部材７０は、その第１水平板部８０における第１垂直板部５６とは反対側の端部であって、図１２中の上下方向の両端部のそれぞれから、図１３中下方（下地床面１０側）に略垂直に折れ曲がって形成される係合部８４を有している。
【００６８】
この係合部８４は、図１０及び図１１に示す第３ボーダー部材６４の孔７８ｂに嵌入して被係合部７８に係合可能になっていると共に、図７に示すように、境界線上支持脚８Ｂの溝部２０に対しても、選択的に係合可能になっている。
【００６９】
なお、本実施の形態においては、混乱を防止する便宜上、係合の語を、前記掛止の語と使い分けている。すなわち、特許請求の範囲の請求項５にも記載されているように、第１ボーダー部材７０の係合部８４、及び第３ボーダー部材６４の折り曲げ部７６に関する場合には係合の語を使い、上述したその他の場合には掛止の語を使うようになっている。
【００７０】
次に、同じく図７に示すように、第２ボーダー部材６６は、第１ボーダー部材７０の第１水平板部８０上で図中左右方向にスライドする第２水平板部６８を有している。本実施の形態に係る第２水平板部６８は、前記第１の実施の形態に係る第２水平板部５０よりも、その図７中左右方向の長さが短く形成されている。
【００７１】
第２ボーダー部材６６は、図１４（ａ）〜（ｃ）に示すように、その第２水平板部６８における第２ボーダー掛止部５２とは反対側の端部６８ａと、第１ボーダー部材７０における第１水平板部８０の段差６０との間の距離ｄが、「０」から、標準パネル３の配置間隔Ｓ（図３参照）の半分の長さまでの範囲内でスライド可能になっている。これによりボーダー部構造６２は、その全体の長さＷ２が、最小長さＣ２から最大長さＣ２＋Ｓ／２までの範囲内で調整可能になっている。
【００７２】
また、ボーダー部構造６２は、図１４（ｃ）に示すように、その全体の長さＷ２が、Ｃ２＋Ｓ／２であるときには、図１４（ｄ）に示すように、第２ボーダー部材６６における第２水平板部６８の端部６８ａと、第１ボーダー部材７０における第１水平板部８０の段差６０との間の距離ｄを「０」に戻すと共に、第３ボーダー部材６４を第１ボーダー部材７０に連結した構成に置換えることができる。
【００７３】
これによりボーダー部構造６２は、図１４（ｄ）〜（ｆ）に示すように、第３ボーダー部材６４を第１ボーダー部材７０に連結した状態で、その全体の長さＷ２が、（Ｃ２＋Ｓ／２）から（Ｃ２＋Ｓ）までの範囲内で調整可能になっている。したがって、ボーダー部構造６２は、図１４（ａ）〜（ｆ）に示すように、その全体の長さＷ２が、最小長さＣ２から最大長さ（Ｃ２＋Ｓ）までの範囲内で調整可能になっている。
【００７４】
このような本実施の形態に係るボーダー部構造６２によれば、その第２ボーダー部材６６のスライド調整動作、及び第３ボーダー部材６４の選択的な設置によりボーダー部の全体長さを調整することができるため、このボーダー部構造６２のボーダー部への設置作業を行なう際に、従来のように金属製のボーダー部材の水平板部の切断作業を伴わずに行なうことができるので、ボーダー部構造６２の設置作業の効率が低下するのを防止することができる。
【００７５】
また、本実施の形態に係るボーダー部構造６２によれば、前記第１の実施の形態と同様に、シート部材４１が、第１ボーダー部材７０の第１水平板部８０上の段差６０と、第２ボーダー部材６６の第２水平板部６８との間に載置されるようになっていることにより、第２ボーダー部材６６と第１ボーダー部材７０で形成される床面上に凹部を形成する段差ができないようにすることができる。
【００７６】
また、本実施の形態に係るボーダー部構造６２によれば、第１ボーダー部材７０の第１水平板部８０、及び第３ボーダー部材６４の第３水平板部７２が、標準パネル３上には載置されないので、フリーアクセスフロアの床面上に段差が形成されるのを防止して、その段差の上に載置した整理棚や書庫等が傾むいてしまうのを防止することができる。
【００７７】
また、本実施の形態に係るボーダー部構造６２によれば、このボーダー部構造６２がボーダー部に設置される際に備える必要がある調整長さに対して、第１水平板部８０上での第２水平板部６８のスライド長さを、第３ボーダー部材６４の長さ分だけ短くすることができるので、第１ボーダー部材７０及び第２ボーダー部材６６について、その長さを短く形成することができるので、ボーダー部の各種長さに各種形態で対応させることができる。
【００７８】
また、本実施の形態に係るボーダー部構造６２によれば、ボーダー部の壁４からの長さに応じて第３ボーダー部材６４を設置しない場合と設置する場合のいずれにおいても、第１ボーダー部材７０の係合部８４が、境界線上支持脚８Ｂの溝部２０、又は第３ボーダー部材６４の被係合部７８のいずれかに確実に係合するようになっていることにより、ボーダー部構造６２により形成される床面が標準パネル３に連続して形成することができるので、ボーダー部に床面が確実に形成されるようにすることができる。
【００７９】
また、本実施の形態に係るボーダー部構造６２によれば、ボーダー部構造６２の長さが、図１４に示すように、標準パネル３の配置間隔Ｓと同じ長さの範囲内で調整することができるようになっているので、図７及び図９に示すように、ボーダー部の壁４からの長さによらず、このボーダー部内に標準パネル３に連続する床面を隙間なく形成することができる。
【００８０】
また、本実施の形態に係るボーダー部構造６２においては、第２ボーダー部材６６のスライド長さ、及び第３ボーダー部材６４の長さのそれぞれが、標準パネル３の配置間隔Ｓのおよそ半分の長さに設定されていたが、これらの長さは個別に任意の長さに設定することができ、これらの長さを長く設定したような場合には、寸法が長いボーダー部に対しても、本実施の形態のようなボーダー部構造を設置することができる。
【００８１】
なお、前記第１の実施の形態に係るボーダー部構造３２においては、第１ボーダー部材４０の第１垂直板部５６に配線を通すことができるような開口部は設けられていなかったが、配線を通すことができるような孔形状等の開口部を設けてもよい。前記第２の実施の形態に係るボーダー部構造６２の、第１ボーダー部材７０の第１垂直板部５６についても同様である。
【００８２】
また、前記第１，２の実施の形態に係るボーダー部構造３２，６２においては、図２，５に示す端部部材３４、及び第２ボーダー部材３６，６６を支持するのにボーダー部内支持脚８Ａが用いられていたが、端部部材３４、及び第２ボーダー部材３６，６６を支持する機能を備えているものであれば、ボーダー部内支持脚８Ａとは異なる、円柱状等の他のタイプの支持脚が用いられてもよい。
【００８３】
また、前記第１，２の実施の形態に係るボーダー部構造３２，６２においては、シート部材４１を備えるようになっていたが、シート部材４１を設ける隙間が狭い場合等のように、シート部材４１を備えないようになっていてもよい。
【００８４】
また、前記第１，２の実施の形態に係るボーダー部構造３２，６２においては、図１，６，８に示すように、端部部材３４の長さが、標準パネル３の一辺の長さのほぼ２倍の長さを有していたが、標準パネル３の一辺の長さとほぼ同じ長さを、或いはその一辺の長さの２倍以上の長さを有するようになっていてもよい。
【００８５】
また、前記第１，２の実施の形態に係るボーダー部構造３２，６２は、壁４の壁際に形成されるボーダー部に設置されるようになっていたが、柱等の部屋の他の構造物の近傍に形成されるボーダー部に対しても設置することができることはいうまでもない。
【図面の簡単な説明】
【００８６】
【図１】本発明の第１の実施の形態に係るボーダー部構造３２、及びフリーアクセスフロア２を示す平面図である。
【図２】本発明の第１の実施の形態に係るボーダー部構造３２、及びフリーアクセスフロア２を示す図であって、図１中におけるＢ−Ｂ線矢視の側面断面図である。
【図３】図２に示すボーダー部構造３２が設置される前のボーダー部、及びフリーアクセスフロア２を示す図であって、図３（ａ）は標準支持脚８を壁４の壁際に配置できない状態を、図３（ｂ）は標準支持脚８及び標準パネル３の両方を壁４の壁際に配置できない状態を示す側面断面図である。
【図４】図２に示すボーダー部構造３２が設置される前のボーダー部、及びフリーアクセスフロア２を示す図であって、標準支持脚８及び標準パネル３を配置できない中途半端な空間の長さＭが短い状態を示す側面断面図である。
【図５】図２に示すボーダー部構造３２を示す図であって、その幅方向の長さ調整の様子を示す側面断面図である。
【図６】本発明の第２の実施の形態に係るボーダー部構造６２、及びフリーアクセスフロア２を示す平面図であって、第３ボーダー部材６４を設置しない状態を示す図である。
【図７】本発明の第２の実施の形態に係るボーダー部構造６２、及びフリーアクセスフロア２を示す図であり、第３ボーダー部材６４を設置しない状態を示す図であって、図６中におけるＣ−Ｃ線矢視の側面断面図である。
【図８】本発明の第２の実施の形態に係るボーダー部構造６２、及びフリーアクセスフロア２を示す平面図であって、第３ボーダー部材６４を設置した状態を示す図である。
【図９】本発明の第２の実施の形態に係るボーダー部構造６２、及びフリーアクセスフロア２を示す図であり、第３ボーダー部材６４を設置した状態を示す図であって、図８中におけるＤ−Ｄ線矢視の側面断面図である。
【図１０】図８に示す第３ボーダー部材６４を示す平面図である。
【図１１】図１０に示す第３ボーダー部材６４を示す図であって、図１０中におけるＥ−Ｅ線矢視の側面断面図である。
【図１２】図６，８に示す第１ボーダー部材７０を示す平面図である。
【図１３】図１２に示す第１ボーダー部材７０を示す側面図である。
【図１４】図７，９に示すボーダー部構造６２を示す図であって、その幅方向の長さ調整の様子を示す側面断面図である。
【図１５】従来のボーダー部構造１、及びフリーアクセスフロア２を示す平面図である。
【図１６】従来のボーダー部構造１、及びフリーアクセスフロア２を示す図であって、図１５中におけるＡ−Ａ線矢視の側面断面図である。
【図１７】図１５中の標準支持脚８だけを取り出して示すその平面図である。
【図１８】図１５中の標準パネル３だけを取り出して示すその平面図である。
【符号の説明】
【００８７】
１  ボーダー部構造
２  フリーアクセスフロア
３  標準パネル
４，４ａ，４ｂ  壁
６  ボーダー部材
８  標準支持脚
８Ａ  ボーダー部内支持脚
８Ｂ  境界線上支持脚
１０  下地床面
１２  パイプ材
１４  上側キャップ材
１６  下側キャップ材
１８  上端面
２０  溝部
２２  天板部
２４  側板部
２６  水平板部
２６ａ  端部
２８  垂直板部
３２  ボーダー部構造
３４  端部部材
３６  第２ボーダー部材
４０  第１ボーダー部材
４１  シート部材
４４  床板部
４６  下垂板部
４８  端部部材掛止部
５０  第２水平板部
５０ａ  端部
５２  第２ボーダー掛止部
５４  第１水平板部
５６  第１垂直板部
５８  第１ボーダー掛止部
６０  段差
６２  ボーダー部構造
６４  第３ボーダー部材
６６  第２ボーダー部材
６８  第２水平板部
６８ａ  端部
７０  第１ボーダー部材
７２  第３水平板部
７４  第３垂直板部
７６  折り曲げ部
７８  被係合部
７８ａ  切り欠き
７８ｂ  孔
８０  第１水平板部
８４  係合部
【図１】
2008150824.tif 000003
【図２】
2008150824.tif 000004
【図３】
2008150824.tif 000005
【図４】
2008150824.tif 000006
【図５】
2008150824.tif 000007
【図６】
2008150824.tif 000008
【図７】
2008150824.tif 000009
【図８】
2008150824.tif 000010
【図９】
2008150824.tif 000011
【図１０】
2008150824.tif 000012
【図１１】
2008150824.tif 000013
【図１２】
2008150824.tif 000014
【図１３】
2008150824.tif 000015
【図１４】
2008150824.tif 000016
【図１５】
2008150824.tif 000017
【図１６】
2008150824.tif 000018
【図１７】
2008150824.tif 000019
【図１８】
2008150824.tif 000020